(57)【要約】【課題】軽量且つコンパクトで、作業性も良好で、しかも大きな耐荷重強度を有する指先保護具及び作業用手袋を提供する。【解決手段】作業用手袋の各指先にそれぞれ着脱可能に挿入可能な指先保護具であって、前記指先の両側を挟む側板部１０と、前記指先の先端を囲み且つ前記指先の両側の前記側板部１０を連結する湾曲部２０とを具備し、前記指先の上下方向一方側の端面を下にして載置面に載置した場合に前記側板部及び前記湾曲部は前記載置面に対して垂直な垂直面となり、前記垂直面の高さが前記指先の厚さより大きい。【選択図】図１
2020180392.tif 000002
【特許請求の範囲】
【請求項１】
作業用手袋の各指先にそれぞれ着脱可能に挿入可能な指先保護具であって、
前記指先の両側を挟む側板部と、前記指先の先端を囲み且つ前記指先の両側の前記側板部を連結する湾曲部とを具備し、前記指先の上下方向一方側の端面を下にして載置面に載置した場合に前記側板部及び前記湾曲部は前記載置面に対して垂直な垂直面となり、前記垂直面の高さが前記指先の厚さより大きい、
ことを特徴とする指先保護具。
【請求項２】
前記側板部の前記湾曲部側とは反対側の端部の前記上下方向の少なくとも一方の隅部に面取り部を有する、
ことを特徴とする請求項１に記載の指先保護具。
【請求項３】
前記側板部の前記指先の上下方向両側の端面と前記湾曲部の前記指先の上下方向両側の端面とがそれぞれ面一に形成されている
ことを特徴とする請求項１又は請求項２に記載の指先保護具。
【請求項４】
前記側板部の前記指先の上下方向両側の端面、及び前記湾曲部の前記指先の上下方向両側の端面は、前記垂直面に直交する面である、
ことを特徴とする請求項１から請求項３の何れか一項に記載の指先保護具。
【請求項５】
前記湾曲部の前記上下方向の上側の端面の少なくとも一部、及び前記側板部の前記湾曲部側の前記上下方向の上側の端面の少なくとも一部に接続されて前記指先の上部を覆う上板部を有する
ことを特徴とする請求項１から請求項４の何れか一項に記載の指先保護具。
【請求項６】
内面の少なくとも一部に内張り材を設けた
ことを特徴とする請求項１から請求項５の何れか一項に記載の指先保護具。
【請求項７】
請求項１から請求項６の何れか一項に記載の指先保護具を用いた
ことを特徴とする作業用手袋。
【発明の詳細な説明】
【技術分野】
【０００１】
本発明は、指先保護具及び作業用手袋に関する。
【背景技術】
【０００２】
従来、例えば重作業現場においては、重量物を押さえたり、掴んだりする作業を行う場合に、重量物に指先を衝突させたり、重量物により指先が挟まれたりする事故防止のために、指を保護する補強部材を取り付けた作業用手袋が知られている。例えば、手袋の第二指〜第五指に対応する指部分を管状の補強部材で覆う作業用手袋が提案されている（特許文献１参照）。
【０００３】
特許文献１の作業用手袋は、その補強部材を複数の管で構成することによりそれぞれの指を屈伸し得るように構成しているが、指の腹においても管状の補強部材が存在するために、指が作業対象に補強部材を介して接触することになり、作業性が損なわれるという問題がある。
【０００４】
そこで、指の腹以外の部分を覆う補強部材として、手のそれぞれの指に装着されて外力の指への伝達を遮断する指保護部材が提案されている（特許文献２参照）。
【０００５】
しかしながら、特許文献２の補強部材は、耐荷重を例えば１トン程度に設定した場合、かなり高強度の材料を用いて肉厚に製造する必要があり、重く且つかさ高い部材になってしまうという問題がある。また、特許文献２の構造では指の甲の第１関節の部分が補強部材に当たるので、作業性が損なわれるという問題もある。
【０００６】
また、耐荷重性を向上させたものとして、指を複数本固定する保護具が提案されている（特許文献３参照）。
しかしながら、指を複数本一緒に固定する構造では作業性が低下するという問題がある。
【先行技術文献】
【特許文献】
【０００７】
【特許文献１】特開２００５−２４０２２１号公報
【特許文献２】特開２０１７−３６５２３号公報
【特許文献３】特許第４２０６１０３号公報
【発明の概要】
【発明が解決しようとする課題】
【０００８】
本発明は、上記実情に鑑みて完成されたものであり、軽量且つコンパクトで、作業性も良好で、しかも大きな耐荷重強度を有する指先保護具及び作業用手袋を提供することを目的とする。
【課題を解決するための手段】
【０００９】
本発明の第１の態様は、作業用手袋の各指先にそれぞれ着脱可能に挿入可能な指先保護具であって、前記指先の両側を挟む側板部と、前記指先の先端を囲み且つ前記指先の両側の前記側板部を連結する湾曲部とを具備し、前記指先の上下方向一方側の端面を下にして載置面に載置した場合に前記側板部及び前記湾曲部は前記載置面に対して垂直な垂直面となり、前記垂直面の高さが前記指先の厚さより大きい、ことを特徴とする指先保護具にある。
【００１０】
本発明の第２の態様は、前記側板部の前記湾曲部側とは反対側の端部の前記上下方向の少なくとも一方の隅部に面取り部を有する、ことを特徴とする請求項１に記載の指先保護具にある。
【００１１】
本発明の第３の態様は、前記側板部の前記指先の上下方向両側の端面と前記湾曲部の前記指先の上下方向両側の端面とがそれぞれ面一に形成されていることを特徴とする第１又は第２に記載の指先保護具にある。
【００１２】
本発明の第４の態様は、前記側板部の前記指先の上下方向両側の端面、及び前記湾曲部の前記指先の上下方向両側の端面は、前記垂直面に直交する面である、ことを特徴とする第１から第３の何れかの態様に記載の指先保護具にある。
【００１３】
本発明の第５の態様は、前記湾曲部の前記上下方向の上側の端面の少なくとも一部、及び前記側板部の前記湾曲部側の前記上下方向の上側の端面の少なくとも一部に接続されて前記指先の上部を覆う上板部を有することを特徴とする第１から第４の何れかの態様の指先保護具にある。
【００１４】
本発明の第６の態様は、内面の少なくとも一部に内張り材を設けたことを特徴とする第１から第５の何れかの態様に記載の指先保護具にある。
【００１５】
本発明の第７の態様は、第１から第６の何れかの態様の指先保護具を用いたことを特徴とする作業用手袋にある。
【発明の効果】
【００１６】
本発明によれば、軽量且つコンパクトで、作業性も良好で、しかも大きな耐荷重強度を有する指先保護具及び作業用手袋を提供することができる。
【図面の簡単な説明】
【００１７】
【図１】実施形態１に係る指先保護具の斜視図である。
【図２】実施形態１に係る指先保護具の平面図及び正面図である。
【図３】実施形態１に係る指先保護具を具備する作業用手袋の斜視図である。
【図４】実施形態１の変形例を示す正面図である。
【図５】実施形態２に係る指先保護具の斜視図である。
【図６】実施形態３に係る指先保護具の斜視図である。
【図７】変形例に係る指先保護具の平面図である。
【図８】変形例に係る指先保護具の平面図及び側面図である。
【図９】変形例に係る指先保護具の平面図である。
【図１０】変形例に係る指先保護具の平面図である。
【図１１】比較例に係る指先保護具の斜視図である。
【発明を実施するための形態】
【００１８】
以下、各図面を参照して本発明の実施形態を説明する。ただし、以下の説明は、本発明の一態様を示すものであって、本発明の範囲内で任意に変更可能である。各図面において同じ符号を付したものは、同一の部材を示しており、適宜説明が省略されている。なお、各図面において示す構成要素、即ち、各部の形状や大きさ、厚さ、相対的な位置関係等は、本発明を説明する上で誇張して示されている場合がある。
【００１９】
（実施形態１）
図１には、実施形態１の指先保護具の斜視図、図２には、その平面図及び正面図、図３にはこれらの指先保護具を取り付けた作業用手袋の斜視図を示す。
【００２０】
これらの図面に示すように、指先保護具１は、鋼鉄、ステンレスなどの金属板をＵ字状に湾曲されたものであり、２つの側板部１０と、これらを連結する湾曲部２０とを具備する。この指先保護具１は、図３に示すように、作業用手袋１００の５本の指の指先部１０１〜１０５に挿入して用いられるものであり、指先保護具１の側板部１０と湾曲部２０との間の内部空間Ｓ内に図示しない指先をそれぞれ１本ずつ挿入するものであり、湾曲部２０の内側に指先の先端が位置し、図１及び図２において、指先の腹を下にした状態で各指が挿入されるように用いられる。図２（ａ）は、指先保護具１を使用状態で載置面に載置した状態を上方から見た平面図（上面図）であり、図２（ｂ）は、指先の挿入側から見た正面図である。
【００２１】
よって、２つの側板部１０の間の距離である空間Ｓの幅Ｘは、指先の幅より大きく設定され、また、側板部１０の湾曲部２０とは反対側の端部１１と、湾曲部２０の中央部内面２１との距離である長さＹは、指先の先端から第１関節までの長さより大きく、第３関節と第２関節の中間までの長さより小さく、好ましくは、第２関節までの長さより小さく設定され、側板部１０及び湾曲部２０の両側の端面１２、２２間の距離である高さＺは、指先の厚さより大きくなるように設定されている。
【００２２】
幅Ｘは、指先の幅より小さいと指先が入らないので、指先の幅より大きくするが、指先の幅より大き過ぎると他の指の指先保護具と干渉し作業性が悪くなる虞があるので、これらを考慮して所定の大きさに設定する。
【００２３】
長さＹは、指先の先端から第１関節までの長さより小さいと高さＺの方が大きくなるため倒れやすくなり指先が保護できない虞があるので、指先の先端から第１関節までの長さより大きくするのが好ましいが、第３関節と第２関節の中間までの長さより大きい、または、第２関節までの長さより大きいと、指の動きが阻害され作業性が悪くなる虞があるので、これらを考慮して適宜設定するのが好ましい。
【００２４】
高さＺは、指先の厚さより小さいと指先が保護できないので、指先の厚さより大きくなるようにするが、指先の厚さより大き過ぎると倒れ易くなり指先が保護できない虞があり、または、作業性が悪くなる虞があるので、これらを考慮して設定するのが好ましい。
【００２５】
このような指先保護具１の幅Ｘ、長さＹ及び高さＺは、５本の指先毎にそれぞれ異なるように設定してもよいし、親指用だけを別にして親指用と他の４本用との２種類としてもよいし、親指用の他、小指用を別にして、他の３本用の３種類に設定してもよく、特に限定されない。図３は、親指用の指先保護具と、それ以外の指先保護具との２種類のサイズとしている。
【００２６】
本発明の指先保護具１は、平坦な載置面Ｐに端面１２、２２を下にして載置したときに、側板部１０及び湾曲部２０が載置面Ｐに対して垂直になる。ここで、側板部１０及び湾曲部２０が垂直とは、側板部１０及び湾曲部２０が平板の場合は表面が垂直であればよいが、表面が平面でない場合には、側板部１０及び湾曲部２０の重心の方向が端面１２、２２内にあればよい。
【００２７】
何れにしても、載置面Ｐに載置した指先保護具１の上に重量物Ｈが載置され、載置面Ｐに垂直な荷重Ｑがかかった場合、側板部１０及び湾曲部２０が荷重Ｑに対して垂直な壁となればよく、これにより、指先保護具１の耐荷重が著しく高いものである。
【００２８】
また、上述したように、２枚の側板部１０上に重量物Ｈが載置され、さらに斜め方向から力が作用した場合、垂直壁となった側板部１０は倒れる方向に力が作用するが、２枚の側板部１０は湾曲部２０により連結されているので、側板部１０が倒れようとする力に抗する作用を湾曲部２０から受けるので、耐荷重性能が著しく大きくなる。一方、特許文献２に記載されるようなアーチ状の指保護具では、アーチ状の屋根部材の耐荷重性能が確保できないので、まず、屋根部材が潰され、屋根部材が潰されると、側面に対して両側に開く方向（倒れる方向）の力が作用するので、２枚の側板部が開き大きな耐荷重性能が確保できない。また、潰れた屋根部材が断面Ｍ字状に壊れることにより指先が押し潰される虞もあるため、指保護具として使用しているにもかかわらず、より大きな怪我をする虞がある。
【００２９】
本実施形態の指先保護具１は、単純な形状で軽量コンパクトであるが、著しく耐荷重性能が高いものである。また、指先の腹及び甲に対応する領域には部材が存在しないので、作業性が良好である。
【００３０】
本実施形態においては、側板部１０と湾曲部２０とを一体的にプレス成形したが、側板部１０と湾曲部２０とを別体として溶接などにより接続したものでもよい。また、指先の両側に位置する側板部１０は、平行としたが、必ずしも平行でなくてもよく、指先の挿入方向が多少開いた形状であってもよい。
【００３１】
また、上述した例では、側板部１０の上下方向の端面１２と、湾曲部２０の上下方向の端面２２とは連続して面一となっているが、必ずしもこれに限定されず、湾曲部２０の上下方向の寸法が先端に向かって漸次小さくなる形状であってもよく、この場合、湾曲部２０の端面２２の先端部は、載置面Ｐから若干浮く状態となるが、耐荷重性能には大きな影響はない。
【００３２】
また、上述した例では、側板部１０の端面１２と、湾曲部２０の端面２２とは、側板部１０及び湾曲部２０の表面に対して垂直面となっているが、必ずしもこれに限定されず、図４に示す指先保護具１Ａのように、正面から見て湾曲する端面１２Ａを有する側板部１０Ａとしてもよく、湾曲部２０についても同様であり、湾曲する端面２２Ａを有する湾曲部２０Ａとしてもよい。但し、載置面Ｐ上に載置した際に、側板部１０Ａ及び湾曲部２０Ａの端面１２Ａ、２２Ａの大部分が載置面Ｐに対して接触し、且つ側板部１０Ａ及び湾曲部２０Ａが載置面Ｐに対して垂直になる必要がある。なお、この際に、載置面Ｐと端面１２Ａ、２２Ａとの接触面積が大きい方が耐荷重性能が向上するので、表面に垂直な端面１２、２２が好ましい。
【００３３】
（実施形態２）
図５には、実施形態２に係る指先保護具の斜視図を示す。
図示のように、本実施形態の指先保護具１Ｂは、側板部１０Ｂの湾曲部２０とは反対方向の端部の上下方向両側に面取り部１５を設けたものであり、他の点は実施形態１と同様であるので、同一符号を付して重複する説明は省略する。
【００３４】
本実施形態では、面取り部１５はＲ面としたものであるが、斜面であってもよい。
この面取り部１５は、特に、指先の腹側に設けてあることで、作業性が向上するという効果を奏するものである。よって、面取り部１５は、指先の腹側のみに設けてもよいが、本実施形態では、上下逆に使用しても同様な効果が得られるために、上下両側に面取り部１５を設けている。
【００３５】
面取り部１５を設けると、図２に示すように、載置面Ｐに載置した際の載置面Ｐと端面１２との接触面積の大きさが小さくなり、耐荷重性能に多少影響する可能性があるので、面取り部１５の大きさは、作用性の向上と、耐荷重性能への影響との兼ね合いにより決定すればよいが、面取り部１５の大きさは側板部１０Ｂの端面１２の長さの１／３以下、好ましくは１／４以下とするのがよい。
【００３６】
（実施形態３）
図６には、実施形態３に係る指先保護具の斜視図を示す。
図示のように、本実施形態の指先保護具１Ｃは、湾曲部２０と側板部１０の湾曲部２０側の一部とその間に空間を覆う上板部３０を設けたものであり、他の点は実施形態１と同様であるので、同一符号を付して重複する説明は省略する。
【００３７】
本実施形態では、上板部３０は、側板部１０及び湾曲部２０と共にプレス成形により一体的に成形したが、別部材として溶接や接着により接合したものであってもよい。さらに、上板部３０を別部材とし、着脱可能なものとしてもよい。
【００３８】
上板部３０は、側板部１０の間隔より小さな物体との衝突からの指先の保護を図るものである。但し、上板部３０は、指先を曲げる際に甲の関節部分と接触するので、作業性を考慮して設ける必要がある。上板部３０の長さＹ１の最大値は、指先の先端から第１関節まで、好ましくは、第１関節までの長さより小さくするのがよい。
なお、上板部３０は、湾曲部２０の先端側を覆わないように設けてもよい。
【００３９】
（他の実施形態）
以上説明した実施形態は好適な態様を例示したものであり、これに限定されず、一部変形して実施することができる。
指先保護具１の材質は、金属製だけでなく、必要に応じて選定すればよく、例えば、指先保護具１は、耐衝撃性、成形のしやすさ等に優れるポリカーボネート、ＰＣアロイ（ポリカーボネートとＰＢＴ樹脂等の共重合樹脂）、ＡＢＳ、ＰＥＴ、好ましくは耐薬品性にも優れるポリプロピレン、ナイロン等の合成樹脂を、加熱を伴う加圧成型や射出成型によって成形されても良く、更に上述した樹脂にガラス繊維（グラスファイバー）などの繊維を含有させた繊維強化プラスチック（ＦＲＰ）としてもよい。
【００４０】
なお、指先保護具１の材質は、例えば高い耐荷重が求められる現場では金属板を採用し、低い耐荷重でも問題ない場合は合成樹脂を採用できる。また、合成樹脂は材料に応じた形状選定が自由なため、必要に応じて求められる強度や機能に応じて厚みや形状を変更することができる。
【００４１】
図７には、種々の指先保護具の平面図を示す。
図７（ａ）の指先保護具１Ｄは、湾曲部２０Ｄの内側に補強用のＺ方向に延びる梁４１を複数設けたものである。これにより、湾曲部２０Ｄの耐荷重性が向上し、また、安定して倒れ難いものとなり、全体の耐荷重が向上する。
図７（ｂ）の指先保護具１Ｅは、湾曲部２０Ｅの先端側に肉厚部４２を設けたものであり、これにより、全体の耐荷重が向上する。
図７（ｃ）の指先保護具１Ｆは、湾曲部２０Ｆの側板部１０側の端部に屈曲部４３を設けたものであり、これにより湾曲部２０Ｆの長さが大きくなり、また、安定して倒れ難いものとなり、全体の耐荷重が向上する。
図７（ｄ）の指先保護具１Ｇは、湾曲部２０Ｇの全体を厚さ方向に連続して屈曲部４４を設けた形状とすることにより、湾曲部２０Ｇの長さが大きくなり、また、安定して倒れ難いものとなり、全体の耐荷重が向上する。
図７（ｅ）の指先保護具１Ｈは、側板部１０Ｈに連続して屈曲部４５を設けたものであり、これにより側板部１０Ｈの長さが大きくなり、また、安定して倒れ難いものとなり、全体の耐荷重が向上する。
図７（ｆ）の指先保護具１Ｉは、湾曲部２０Ｉを側板部１０のＸ方向の幅より大きな拡幅部４６を有するものとしたものであり、これにより湾曲部２０Ｉの長さが大きくなり、また、安定して倒れ難いものとなり、全体の耐荷重が向上する。
【００４２】
例えば、湾曲部２０及び側板部１０の内面（指先と接触する面）に、ゴムやエラストマー、フェルトやフリースなどからなる内張り材を設けてもよい。これにより、指先との接触の際に指先が保護され、また、使用感覚が向上する。
【００４３】
内張り材は、少なくとも湾曲部２０の内面に設けるのが好ましく、側板部１０の内面にも連続して設けてもよい。また、上板部３０の内面に設けてもよい。
【００４４】
さらに、湾曲部２０及び側板部１０の外面（手袋と接触する面）に、ゴムやエラストマー、フェルトやフリースなどからなる内張り材を設けてもよい。これにより、手袋との接触が柔らかくなり、また、手袋を通しての作業対象への接触が柔らかくなり、使用感覚が向上する。
【００４５】
また、例えば、湾曲部２０の外面（手袋と接触する面）に、凸状部を設けてもよい。この例を図８に示す。図８（ａ）は指先保護具１Ｊの平面図、図８（ｂ）は側面図であり、湾曲部２０Ｊの先端側に凸部４７を設けたものである。これにより、手袋をした状態でも小さなボタンやスイッチを押すことができる。
【００４６】
さらに、例えば、湾曲部２０や側板部１０Ｋの内面（指と接触する面）に突起を設けてもよい。図９は、このような指先保護具１Ｋの平面図であり、側板部１０Ｋの端部近傍内側にＺ方向に延びる凸条４８を設けたものである。これにより、凸条４８が指先の第１関節や第２関節に接触するこれにより、指先保護具が指から抜けにくくなる。
【００４７】
さらに、例えば、湾曲部２０や側板部１０の外面（手袋と接触する面）に突起を設けてもよい。図１０は、このような指先保護具１Ｌの平面図であり、側板部１０Ｌの端部近傍外側にＸ方向外側に突出し且つＺ方向に延びる凸条４９を設けたものである。これにより、凸条４９が手袋の編み目に引っかかる。これにより、指先保護具が手袋から抜けにくくなる。なお、凸条４９の代わりに突起を設けてもよく、また、突起はＺ方向に亘って複数個設けてもよい。
【００４８】
また、例えば、本発明の指先保護具は、手袋に使用する他、５本指ソックスに使用して足指先保護具としてもよい。これにより足指先を保護することができる。
【００４９】
（実施例）
図１の形状の指先保護具を親指用と、その他の指用との２種類製造した。
親指用は、幅３０ｍｍ、長さ９２ｍｍの鋼製の板材を湾曲成形し、Ｘ＝２６ｍｍ、Ｙ＝３７ｍｍ、Ｚ＝３０ｍｍの寸法の指先保護具とした。
その他の指用は、幅２０ｍｍ、長さ７３ｍｍの鋼製の板材を湾曲成形し、Ｘ＝２０ｍｍ、Ｙ＝２９ｍｍ、Ｚ＝２０ｍｍの寸法の指先保護具とした。
【００５０】
（比較例）
実施例と同じ素材を用い、図１１に示すようなアーチ状の指先保護具を親指用と、その他の指用の寸法で成形した。
親指用は、幅３０ｍｍ、長さ５４ｍｍの鋼製の板材を湾曲成型し、ｘ＝２６ｍｍ、ｙ＝３０ｍｍ、ｚ＝１８ｍｍの寸法の指先保護具とした。
その他の指用は、幅３０ｍｍ、長さ４５ｍｍの鋼製の板材を湾曲成型し、ｘ＝２０ｍｍ、ｙ＝３０ｍｍ、ｚ＝１５ｍｍの寸法の指先保護具とした。
【００５１】
（試験例）
実施例、比較例の指先保護具の基台上に載置し、垂直方向に荷重をかけ、破壊された際の荷重を耐荷重とした。
結果は表１に示すとおりであり、実施例の指先保護具は、アーチ状のものと比較して、著しく大きな耐荷重性能を有していることが確認された。
【００５２】
【表１】
2020180392.tif 000003
【産業上の利用可能性】
【００５３】
本発明の指先保護具及び作業用手袋は、重作業用の手袋用として有用であるが、指先を使用する細かな作業用手袋としても有用である。さらに、５本指ソックス用としても使用することができる。
【符号の説明】
【００５４】
１            指先保護具
１０          側板部
１２          端面
１５          面取り部
２０          湾曲部
２１          中央部内面
３０          上板部
１００        作業用手袋
１０１        指先部
【図１】
2020180392.tif 000004
【図２】
2020180392.tif 000005
【図３】
2020180392.tif 000006
【図４】
2020180392.tif 000007
【図５】
2020180392.tif 000008
【図６】
2020180392.tif 000009
【図７】
2020180392.tif 000010
【図８】
2020180392.tif 000011
【図９】
2020180392.tif 000012
【図１０】
2020180392.tif 000013
【図１１】
2020180392.tif 000014